(57)【要約】【課題】蒸気圧縮式冷凍サイクルに排熱を有効に利用し、装置全体の効率の向上を図る。【解決手段】排熱を動力に変換する動力変換機（30）を備えている。蒸気圧縮式冷凍サイクルの空調機（20）は、動力変換機（30）の動力によって駆動する圧縮機（61）を備えている。動力変換機（30）には、発電機（40）が連結され、空調機（20）には、動力変換機（30）の動力と共働して圧縮機（61）を駆動する電動機（50）が連結されている。動力変換機（30）は、排熱で過熱蒸気の作動媒体を生成する蒸気発生器（72）と、過熱蒸気の作動媒体を受けて動力を発生する蒸気タービン（73）と、作動媒体を凝縮させる凝縮器（74）と、作動媒体を蒸気発生器（72）に供給するポンプ（71）とが接続された変換回路（70）を備えている。【選択図】図１
2010185656.tif 000002
【特許請求の範囲】
【請求項１】
排熱を動力に変換する動力変換機（30）と、
該動力変換機（30）が出力する動力によって駆動する圧縮機（61）を備えた蒸気圧縮式冷凍サイクルの空調機（20）と
を備えていることを特徴とする空気調和装置。
【請求項２】
請求項１において、
動力変換機（30）は、発電機（40）が連結され、空調時に動力を空調機（20）に供給する一方、空調機（20）の停止時に動力を上記発電機（40）に供給するように構成されている
ことを特徴とする空気調和装置。
【請求項３】
請求項１において、
動力変換機（30）は、発電機（40）が連結され、該発電機（40）と空調機（20）とに動力を分配して供給するように構成されている
ことを特徴とする空気調和装置。
【請求項４】
請求項１において、
動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備えている
ことを特徴とする空気調和装置。
【請求項５】
請求項１において、
空調機（20）は、動力変換機（30）の動力と共働して圧縮機（61）を駆動する電動機（50）が連結されている
ことを特徴とする空気調和装置。
【請求項６】
請求項４において、
動力変換機（30）の凝縮器（74）は、冷却器で冷却された冷却水が供給され、該冷却水によって作動媒体を凝縮させるように構成されている
ことを特徴とする空気調和装置。
【請求項７】
請求項４において、
動力変換機（30）の凝縮器（74）は、室外空気が供給され、該室外空気によって作動媒体を凝縮させるように構成されている
ことを特徴とする空気調和装置。
【請求項８】
請求項４において、
動力変換機（30）の凝縮器（74）は、室内から排出される室内空気が供給され、該室内空気によって作動媒体を凝縮させるように構成されている
ことを特徴とする空気調和装置。
【請求項９】
請求項１において、
動力変換機（30）と空調機（20）とは、互いに別個独立した構成体に形成される一方、該動力変換機（30）と空調機（20）とは、動力軸（12）によって連結されている
ことを特徴とする空気調和装置。
【請求項１０】
請求項４において、
動力変換機（30）は、発電機（40）が連結され、空調機（20）の停止時に、凝縮器（74）の放熱によって暖房を行うと同時に、上記発電機（40）を駆動するように構成されている
ことを特徴とする空気調和装置。
【請求項１１】
請求項４において、
動力変換機（30）と空調機（20）とは、一体の構成体に形成される一方、
上記動力変換機（30）の変換回路（70）と空調機（20）の空調回路（60）とが互いに独立した回路に構成されると共に、上記動力変換機（30）の凝縮器（74）と空調機（20）の熱源側熱交換器（63）とが一体化されて１つの熱交換機構（15）を構成している
ことを特徴とする空気調和装置。
【請求項１２】
請求項１１において、
空調機（20）の空調回路（60）は、可逆サイクルを行うように構成されている
ことを特徴とする空気調和装置。
【請求項１３】
請求項１１において、
空調機（20）の空調回路（60）は、正サイクルのみを行うように構成され、
空調機（20）は、利用側熱交換器（65）で冷却された空気で冷房を行う一方、熱交換機構（15）で加温された空気で暖房を行うように構成されている
ことを特徴とする空気調和装置。
【請求項１４】
請求項４において、
動力変換機（30）と空調機（20）とは、一体の構成体に形成される一方、
動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成されている
ことを特徴とする空気調和装置。
【請求項１５】
請求項１４において、
空調機（20）の空調回路（60）は、可逆サイクルを行うように構成され、
動力変換機（30）の変換回路（70）と空調機（20）の空調回路（60）とは、空調機（20）の正サイクル時に動力変換機（30）の作動媒体と空調機（20）の作動媒体とが凝縮器（74）の入口で合流し、凝縮器（74）の出口で動力変換機（30）の作動媒体と空調機（20）の作動媒体と分流する一方、逆サイクル時に蒸気タービン（73）から流出した作動媒体が圧縮機（61）、利用側熱交換器（65）、供給手段（71）及び蒸気発生器（72）を経て蒸気タービン（73）に戻るように構成されている
ことを特徴とする空気調和装置。
【請求項１６】
請求項１４において、
空調機（20）の空調回路（60）は、正サイクルのみを行うように構成され、
空調機（20）は、利用側熱交換器（65）で冷却された空気で冷房を行う一方、凝縮器（74）で動力変換機（30）の作動媒体によって加温された空気により暖房を行うように構成されている
ことを特徴とする空気調和装置。
【請求項１７】
請求項１において、
動力変換機（30）が発生する動力によって駆動する発電機（40）と、動力変換機（30）が発生する動力と共働して空調機（20）の圧縮機（61）を駆動する電動機（50）とが設けられ、
動力変換機（30）は、動力を発生する蒸気タービン（73）を備える一方、
上記電動機（50）と連結機構（19）と圧縮機（61）と連結機構（19）と蒸気タービン（73）と連結機構（19）と発電機（40）とが順に連結されている
ことを特徴とする空気調和装置。
【発明の詳細な説明】
【技術分野】
【０００１】
本発明は、空気調和装置に関し、特に、蒸気圧縮式冷凍サイクルに排熱を利用するようにした空気調和装置に係るものである。
【背景技術】
【０００２】
従来より、蒸気圧縮式冷凍サイクルの空調機は、圧縮機と室外熱交換器と膨張弁と室内熱交換器とを備え、冷房運転及び暖房運転を行うものが周知である。
【０００３】
一方、コージェネレーションシステムには、吸収式冷凍装置を備えたものがある。このコージェネレーションシステムは、一般に、ディーゼルエンジン、ガスエンジン又はガスタービンなどの熱機関で発電機を駆動して発電を行うと共に、熱機関の排熱を利用して吸収式冷凍装置を駆動し、冷熱を生成して冷房などを行うものである。
【０００４】
この冷房を行うコージェネレーションシステムにおいて、電力需要については一年を通じて存在するのに対し、冷房運転を行うのは夏期のみである。つまり、中間期や冬期において冷房は不要となるため、排熱によって冷凍装置を駆動しても、生成した冷熱が利用されない。このため、従来のコージェネレーションシステムでは、冷房が不要な期間には冷凍装置の運転を行わないようにしていた。
【発明の概要】
【発明が解決しようとする課題】
【０００５】
しかしながら、上述のように冷凍装置を停止させたのでは、その間において熱機関から出る排熱が充分に利用されないこととなる。例えば、オフィスビルにコージェネレーションシステムを設置した場合には、この問題が深刻となる。
【０００６】
つまり、オフィスビルにおいては給湯の需要が少ないため、とりわけ中間期においては排熱がほとんど利用されず、排熱をそのまま捨てざるを得ない状況となる。このため、従来のコージェネレーションシステムは、エネルギの有効利用が図られないという問題があった。また、上記従来のコージェネレーションシステムは、運転費用の低減による設備費の回収も難しいという問題があった。
【０００７】
特に、蒸気圧縮式冷凍サイクルの空調機においては、駆動源に熱を直接利用しないので、従来、コージェネレーションシステムに用いられていなかった。したがって、排熱の有効利用が図られないという問題があった。
【０００８】
本発明は、斯かる点に鑑みて成されたもので、蒸気圧縮式冷凍サイクルに排熱を有効に利用し、装置全体の効率の向上を図ることを目的とするものである。
【課題を解決するための手段】
【０００９】
〈発明の概要〉
本発明は、排熱を利用して蒸気圧縮式冷凍サイクルの空調機の圧縮機を駆動するようにしたものである。
【００１０】
〈解決手段〉
具体的に、本発明は、図１に示すように、排熱を動力に変換する動力変換機（30）と、該動力変換機（30）が出力する動力によって駆動する圧縮機（61）を備えた蒸気圧縮式冷凍サイクルの空調機（20）とを備えている。
を備えていることを特徴とする空気調和装置。
【００１１】
また、上記動力変換機（30）は、発電機（40）が連結され、空調時に動力を空調機（20）に供給する一方、空調機（20）の停止時に動力を上記発電機（40）に供給するように構成されていてもよい。
【００１２】
また、上記動力変換機（30）は、発電機（40）が連結され、該発電機（40）と空調機（20）とに動力を分配して供給するように構成されていてもよい。
【００１３】
また、上記動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備えていてもよい。
【００１４】
また、上記空調機（20）は、動力変換機（30）の動力と共働して圧縮機（61）を駆動する電動機（50）が連結されていてもよい。
【００１５】
また、上記動力変換機（30）の凝縮器（74）は、冷却器で冷却された冷却水が供給され、該冷却水によって作動媒体を凝縮させるように構成されていてもよい。
【００１６】
また、上記動力変換機（30）の凝縮器（74）は、室外空気が供給され、該室外空気によって作動媒体を凝縮させるように構成されていてもよい。
【００１７】
また、上記動力変換機（30）の凝縮器（74）は、室内から排出される室内空気が供給され、該室内空気によって作動媒体を凝縮させるように構成されていてもよい。
【００１８】
また、上記動力変換機（30）と空調機（20）とは、互いに別個独立した構成体に形成される一方、該動力変換機（30）と空調機（20）とは、動力軸（12）によって連結されていてもよい。
【００１９】
また、上記動力変換機（30）は、発電機（40）が連結され、空調機（20）の停止時に、凝縮器（74）の放熱によって暖房を行うと同時に、上記発電機（40）を駆動するように構成されていてもよい。
【００２０】
また、上記動力変換機（30）と空調機（20）とは、一体の構成体に形成される一方、上記動力変換機（30）の変換回路（70）と空調機（20）の空調回路（60）とが互いに独立した回路に構成されると共に、上記動力変換機（30）の凝縮器（74）と空調機（20）の熱源側熱交換器（63）とが一体化されて１つの熱交換機構（15）を構成していてもよい。
【００２１】
また、上記空調機（20）の空調回路（60）は、可逆サイクルを行うように構成されていてもよい。
【００２２】
また、上記空調機（20）の空調回路（60）は、正サイクルのみを行うように構成され、上記空調機（20）は、利用側熱交換器（65）で冷却された空気で冷房を行う一方、熱交換機構（15）で加温された空気で暖房を行うように構成されていてもよい。
【００２３】
また、上記動力変換機（30）と空調機（20）とは、一体の構成体に形成される一方、上記動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成されていてもよい。
【００２４】
また、上記空調機（20）の空調回路（60）は、可逆サイクルを行うように構成され、上記動力変換機（30）の変換回路（70）と空調機（20）の空調回路（60）とは、空調機（20）の正サイクル時に動力変換機（30）の作動媒体と空調機（20）の作動媒体とが凝縮器（74）の入口で合流し、凝縮器（74）の出口で動力変換機（30）の作動媒体と空調機（20）の作動媒体と分流する一方、逆サイクル時に蒸気タービン（73）から流出した作動媒体が圧縮機（61）、利用側熱交換器（65）、供給手段（71）及び蒸気発生器（72）を経て蒸気タービン（73）に戻るように構成されていてもよい。
【００２５】
また、上記空調機（20）の空調回路（60）は、正サイクルのみを行うように構成され、上記空調機（20）は、利用側熱交換器（65）で冷却された空気で冷房を行う一方、凝縮器（74）で動力変換機（30）の作動媒体によって加温された空気により暖房を行うように構成されていてもよい。
【００２６】
また、上記動力変換機（30）が発生する動力によって駆動する発電機（40）と、動力変換機（30）が発生する動力と共働して空調機（20）の圧縮機（61）を駆動する電動機（50）とが設けられ、上記動力変換機（30）は、動力を発生する蒸気タービン（73）を備える一方、上記電動機（50）と連結機構（19）と圧縮機（61）と連結機構（19）と蒸気タービン（73）と連結機構（19）と発電機（40）とが順に連結されていてもよい。
【００２７】
すなわち、本発明では、動力変換機（30）が排熱を動力に変換し、該動力変換機（30）が出力する動力によって空調機（20）の圧縮機（61）が駆動する。
【００２８】
上記動力変換機（30）は、例えば、蒸気発生器（72）において、排熱で過熱蒸気の作動媒体を生成する。該過熱蒸気の作動媒体を蒸気タービン（73）が受けて動力を発生する。そして、上記蒸気タービン（73）から流出した作動媒体は、凝縮器（74）で凝縮した後、供給手段（71）によって蒸気発生器（72）に戻る。
【００２９】
また、上記動力変換機（30）の動力は、空調機（20）の停止時等において、発電機（40）に供給されて該発電機（40）が発電する。
【００３０】
また、上記圧縮機（61）は、排熱が少ないときには電動機（50）によって駆動する。
【００３１】
また、上記動力変換機（30）の作動媒体は、凝縮器（74）において、冷却水、室外空気及び室内空気の何れかによって冷却される。
【００３２】
また、暖房運転は、動力変換機（30）の凝縮器（74）の放熱によって行われる場合がある。
【発明の効果】
【００３３】
したがって、本発明によれば、排熱によって過熱蒸気の作動媒体を生成し、該作動媒体によって発生した動力変換機（30）の動力により、空調機（20）の圧縮機（61）を駆動するようにしたために、排熱の有効利用を図ることができると同時に、ボトミング発電を行うことによって高効率化を図ることができる。
【００３４】
つまり、本発明によれば、排熱を有効利用することができる。この結果、ガスタービン等に投入される燃焼エネルギを有効に活用でき、コージェネレーションシステムにおけるシステム全体の効率の向上を図ることができる。
【００３５】
特に、蒸気圧縮式冷凍サイクルの空調機（20）を排熱によって駆動することができるので、該空調機（20）の効率を向上させることができる。
【００３６】
また、上記蒸気タービン（73）の動力を空調機（20）と発電機（40）に分配するようにすると、運転効率をより向上させることができる。
【００３７】
また、電動機（50）を設けるようにすると、排熱が少ない場合においても空調機（20）を確実に駆動させることができ、信頼性の向上を図ることができる。
【００３８】
また、上記空調機（20）と動力変換機（30）の作動媒体を同一の作動媒体にすると、装置全体の簡略化を図ることができる。
【００３９】
また、上記空調機（20）と動力変換機（30）の作動媒体を異なる作動媒体にすると、適用の自由度が大きくなり、装置の適用範囲を拡大することができる。
【００４０】
また、冷却流体をクーリングタワー等の冷却器で冷却すると、動力変換効率の向上を図ることができる。
【００４１】
また、上記動力変換機（30）の作動媒体を室外空気で冷却するようにすると、該室外空気を利用するので、全体構成の簡略化を図ることができると共に、冬期においても運転することができる。
【００４２】
また、上記動力変換機（30）の作動媒体を室内空気で冷却するようにすると、該室内空気を利用するので、排気の冷熱を回収することができる。
【００４３】
また、上記空調機（20）と動力変換機（30）を別個の構成体にすると、該空調機（20）及び動力変換機（30）の単純化を図ることができる。つまり、上記空調機（20）及び動力変換機（30）を専用品にする必要がなく、汎用化を図ることができる。
【００４４】
また、上記空調機（20）の熱源側熱交換器（63）と動力変換機（30）の凝縮器（74）とを一体化して熱交換機構（15）を構成すると、暖房運転時において、空調機（20）の作動媒体が熱交換機構（15）において動力変換機（30）の作動媒体の放熱を吸入することができる。この結果、暖房運転時に冷却流体が不要となり、高効率化を図ることができる。
【００４５】
また、上記熱交換機構（15）において動力変換機（30）の作動媒体によって空気を加温して暖房するようにすると、暖房運転を行うと同時に、発電を行うことができるので、効率の向上を図ることができる。しかも、空調機（20）は、冷房専用機に構成すればよく、構成の簡素化を図ることができる。
【００４６】
また、上記動力変換機（30）の凝縮器（74）が空調機（20）の熱源側熱交換器を兼ねるようにすると、装置全体の構成を簡略化することができる。
【００４７】
また、上記電動機（50）と連結機構（19）と圧縮機（61）と連結機構（19）と蒸気タービン（73）と連結機構（19）と発電機（40）とを順に連結するようにすると、運転の切換を円滑に行うことができる。
【図面の簡単な説明】
【００４８】
【図１】本発明の実施形態１を示す空調機の回路図である。
【図２】本発明の実施形態１を示す動力変換機の回路図である。
【図３】本発明の実施形態１を示す空気調和装置の概略のブロック図である。
【図４】本発明の実施形態２を示す空気調和装置の回路図である。
【図５】本発明の実施形態３を示す空気調和装置の回路図である。
【図６】本発明の実施形態４を示す空気調和装置の回路図である。
【図７】本発明の実施形態５を示す空気調和装置の回路図である。
【図８】本発明の実施形態６を示す空気調和装置の回路図である。
【図９】本発明の実施形態７を示す空気調和装置の回路図である。
【図１０】本発明の実施形態８を示す空気調和装置の回路図である。
【発明を実施するための形態１】
【００４９】
以下、本発明の実施形態１を図面に基づいて詳細に説明する。
【００５０】
図１〜図３に示すように、本実施形態の空気調和装置（10）は、コージェネレーションシステム（11）を構成している。そして、該コージェネレーションシステム（11）は、オフィスビルに設置されている。
【００５１】
上記空気調和装置（10）は、空調機（20）と動力変換機（30）とを備えると共に、発電機（40）である補助発電機（40）と電動機（50）とを備えている。そして、上記空調機（20）と動力変換機（30）は、互いに別個独立した構成体に形成されている。
【００５２】
上記空調機（20）は、蒸気圧縮機（61）式冷凍サイクルを構成する空調回路（60）を備えている。該空調回路（60）は、圧縮機（61）と四路切換弁（62）と熱源側熱交換器である室外熱交換器（63）と膨張機構である膨張弁（64）と利用側熱交換器である室内熱交換器（65）とが順に配管（66）によって接続されて構成されている。そして、上記空調回路（60）は、作動媒体が充填されて該作動媒体が循環するように構成されている。
【００５３】
また、上記室外熱交換器（63）は、室外空気（21）と作動媒体と熱交換するように構成され、上記室内熱交換器（65）は、室内空気（22）と作動媒体とが熱交換するように構成されている。そして、上記空調回路（60）は、可逆サイクルを行うように構成されている。つまり、該空調回路（60）は、正サイクルの冷房運転と逆サイクルの暖房運転とを行うように構成されている。
【００５４】
尚、上記圧縮機（61）は、ピストン式やロータリ式の圧縮機構を備えているが、電気モータなどの駆動源は備えていない。また、上記作動媒体には、Ｒ２２、Ｒ４０７Ｃ、Ｒ４１０Ａなどの人工冷媒若しくはＣＯ2などの自然冷媒又はこれらの混合冷媒が適用されている。
【００５５】
上記動力変換機（30）は、閉回路の変換回路（70）を備えている。該動力変換機（30）の変換回路（70）と上記空調機（20）の空調回路（60）とは、互いに独立した回路に構成されている。上記動力変換機（30）の変換回路（70）は、図２に示すように、ポンプ（71）と蒸気発生器（72）と蒸気タービン（73）と凝縮器（74）とが順に配管（75）によって接続されて構成されている。そして、上記変換回路（70）は、作動媒体が充填されて該作動媒体が循環するように構成されている。
【００５６】
上記動力変換機（30）における変換回路（70）の作動媒体には、例えば、水が用いられている。しかし、上記作動媒体には、Ｒ２２、Ｒ４０７Ｃ、Ｒ４１０Ａなどの人工冷媒若しくはＣＯ2などの自然冷媒又はこれらの混合冷媒を適用してもよい。更に、上記動力変換機（30）の作動媒体は、空調機（20）の作動媒体と同一の作動媒体を用いてもよく、また、空調機（20）の作動媒体と異なる作動媒体を用いてもよい。
【００５７】
上記ポンプ（71）は、作動媒体を循環させる供給手段を構成し、該作動媒体を蒸気発生器（72）に供給している。
【００５８】
上記蒸気発生器（72）には、排熱が排熱源（31）から熱通路（32）を介して供給されている。該蒸気発生器（72）は、排熱によって作動媒体を加熱し、過熱蒸気の作動媒体を生成するように構成されている。上記排熱源（31）は、例えば、ガスタービンで構成され、該ガスタービンの排熱が蒸気発生器（72）に供給されている。尚、上記ガスタービンは、例えば、主発電機を駆動するものである。該主発電機が発生した電力は、オフィスビルの電力需要の全部又は一部を賄っている。
【００５９】
上記蒸気タービン（73）は、熱を動力に変換する変換機構を構成している。該蒸気タービン（73）は、上記蒸気発生器（72）の過熱蒸気（水蒸気）の作動媒体を受けて該作動媒体を膨張させ、この作動媒体の膨張によって回転して動力を発生するように構成されている。そして、上記蒸気タービン（73）は、空調機（20）の圧縮機（61）に動力軸（12）を介して連結され、該圧縮機（61）を駆動するように構成されている。
【００６０】
上記凝縮器（74）は、冷却流体が流体通路（33）を介して供給され、該冷却流体と作動媒体（水蒸気）とを熱交換させるように構成されている。そして、上記凝縮器（74）は、水蒸気である作動媒体を凝縮させるように構成されている。上記冷却流体は、図示しないが、例えば、クーリングタワーなどの冷却器で冷却された冷却水で構成されている。上記凝縮器（74）において凝縮した作動媒体（水）は、ポンプ（71）に吸引され、該ポンプ（71）から上記蒸気発生器（72）に供給される。
【００６１】
要するに、上記空気調和装置（10）は、図３に示すように、動力変換機（30）が排熱源（31）から排熱を受けて動力を出力し、該動力変換機（30）の動力が空調機（20）の圧縮機（61）に供給されるように構成され、いわゆる排熱駆動式に構成されている。
【００６２】
上記補助発電機（40）は、蒸気タービン（73）に動力軸（13）を介して連結されている。該補助発電機（40）は、空調機（20）が空調運転を停止している場合、蒸気タービン（73）の動力によって駆動し、発電するように構成されている。更に、上記補助発電機（40）は、空調負荷が小さい場合、圧縮機（61）の駆動動力が小さいので、蒸気タービン（73）の動力の一部を受けて発電するように構成されている。尚、上記補助発電機（40）の発生電力は、単にオフィスビルの需要電力の一部を補うものであって、主電力を担うものではない。
【００６３】
上記電動機（50）は、圧縮機（61）に動力軸（14）を介して連結されている。該電動機（50）は、排熱が少ない場合、蒸気タービン（73）の動力では圧縮機（61）の容量が不足する場合、蒸気タービン（73）の動力と共働して圧縮機（61）を駆動するように構成されている。
【００６４】
〈作用〉
次に、上述したコージェネレーションシステム（11）における空気調和装置（10）の運転動作について説明する。
【００６５】
上記空気調和装置（10）は、燃焼排ガスが有する熱エネルギによって駆動され、冷熱及び温熱を生成する。すなわち、排熱源（31）であるガスタービンが燃焼ガスによって駆動し、この燃焼ガスの燃焼排ガスが動力変換機（30）に供給される。一方、上記ガスタービンが発生する動力は、主発電機に伝達される。該主発電機が発生した電力は、オフィスビルに供給される。
【００６６】
そこで、上記空気調和装置（10）における動力変換機（30）の動作について図２に基づき説明する。
【００６７】
先ず、ポンプ（71）を駆動すると、作動媒体である水が蒸気発生器（72）に供給される。この蒸気発生器（72）には、排熱が排熱源（31）から熱通路（32）を介して供給されているので、該蒸気発生器（72）において、排熱と作動媒体とが熱交換し、過熱蒸気の作動媒体が生成される。
【００６８】
この過熱蒸気の作動媒体は、蒸気タービン（73）に供給される。該蒸気タービン（73）において、過熱蒸気（水蒸気）の作動媒体が膨張し、この作動媒体の膨張によって蒸気タービン（73）が回転して動力を発生する。
【００６９】
上記蒸気タービン（73）から流出した作動媒体は、凝縮器（74）に流れる。この凝縮器（74）には、冷却流体が供給されているので、該凝縮器（74）において、冷却流体と作動媒体とが熱交換し、作動媒体が凝縮する。この凝縮した作動媒体は、ポンプ（71）に吸引され、上述の動作が繰り返される。
【００７０】
次に、空調時において、上記蒸気タービン（73）で発生した動力は、動力軸（12）を介して空調機（20）の圧縮機（61）に伝達され、該圧縮機（61）が駆動する。該圧縮機（61）が駆動すると、空調機（20）の作動媒体が圧縮されて該圧縮機（61）より吐出する。
【００７１】
そこで、冷房運転（正サイクル）の動作について説明する。上記四路切換弁（62）は、図１の実線側に切り換わっているので、図１の矢印に示すように、上記圧縮機（61）より吐出した作動媒体は、室外熱交換器（63）に流れる。該作動媒体は、室外熱交換器（63）で室外空気（21）と熱交換して凝縮し、膨張弁（64）で膨張した後、室内熱交換器（65）に流れる。更に、上記作動媒体は、室内熱交換器（65）で室内空気（22）と熱交換して蒸発し、室内空気（22）を冷却して圧縮機（61）に戻る。この循環動作を繰り返し、室内を冷房する。
【００７２】
一方、暖房運転（逆サイクル）の動作について説明すると、四路切換弁（62）が図１の破線側に切り換わる。そして、図１に鎖線矢符で示すように、上記圧縮機（61）より吐出した作動媒体は、室内熱交換器（65）に流れる。該作動媒体は、室内熱交換器（65）で室内空気（22）と熱交換して凝縮し、室内空気（22）を加温する。その後、上記作動媒体は、膨張弁（64）で膨張した後、室外熱交換器（63）に流れ、室外空気（21）と熱交換して蒸発し、圧縮機（61）に戻る。この循環動作を繰り返し、室内を暖房する。
【００７３】
また、上記空調機（20）が運転を停止している場合、つまり、例えば、中間期の空調負荷がない場合、上記蒸気タービン（73）で発生した動力は、動力軸（12）を介して補助発電機（40）に伝達される。そして、該補助発電機（40）が駆動し、発電する。この補助発電機（40）の発生電力は、単にオフィスビルの需要電力の一部を補う。
【００７４】
また、上記空調負荷が少ない場合、空調機（20）における圧縮機（61）の駆動動力が小さいので、蒸気タービン（73）の動力の一部が圧縮機（61）に伝達され、他の動力が補助発電機（40）に分配される。そして、該補助発電機（40）が蒸気タービン（73）の動力の一部で発電を行う。
【００７５】
また、上記排熱が少ない場合、蒸気タービン（73）の動力では圧縮機（61）の容量が不足するときは、電動機（50）を駆動する。該電動機（50）の動力は、圧縮機（61）に伝達され、蒸気タービン（73）の動力と共働して圧縮機（61）を駆動する。
【００７６】
〈実施形態１の効果〉
以上のように、本実施形態によれば、排熱によって過熱蒸気の作動媒体を生成し、該作動媒体によって発生した動力変換機（30）の動力により、空調機（20）の圧縮機（61）を駆動するようにしたために、上記排熱の有効利用を図ることができると同時に、ボトミング発電を行うことによって高効率化を図ることができる。
【００７７】
つまり、本実施形態によれば、ガスタービン等の排熱源（31）の排熱を有効利用することができる。この結果、ガスタービン等に投入される燃焼エネルギを有効に活用でき、コージェネレーションシステム（11）におけるシステム全体の効率の向上を図ることができる。
【００７８】
特に、蒸気圧縮式冷凍サイクルの空調機（20）を排熱によって駆動することができるので、該空調機（20）の効率を向上させることができる。
【００７９】
また、上記蒸気タービン（73）の動力を空調機（20）と補助発電機（40）とに分配するので、運転効率をより向上させることができる。
【００８０】
また、上記電動機（50）を設けているので、排熱が少ない場合においても空調機（20）を確実に駆動させることができ、信頼性の向上を図ることができる。
【００８１】
また、上記空調機（20）と動力変換機（30）の作動媒体を同一の作動媒体にすると、装置全体の簡略化を図ることができる。
【００８２】
また、上記空調機（20）と動力変換機（30）の作動媒体を異なる作動媒体にすると、適用の自由度が大きくなり、装置の適用範囲を拡大することができる。
【００８３】
また、冷却流体をクーリングタワー等の冷却器で冷却すると、動力変換機（30）の動力変換効率の向上を図ることができる。
【００８４】
また、上記空調機（20）と動力変換機（30）を別個の構成体にすると、該空調機（20）及び動力変換機（30）の単純化を図ることができる。つまり、上記空調機（20）及び動力変換機（30）を専用品にする必要がなく、汎用化を図ることができる。
【発明を実施するための形態２】
【００８５】
次に、本発明の実施形態２を図面に基づいて詳細に説明する。
【００８６】
図４に示すように、本実施形態の空気調和装置（10）は、実施形態１が空調機（20）と動力変換機（30）とを別個の構成物としたのに代えて、空調機（20）と動力変換機（30）を一体に構成に構成したものである。
【００８７】
つまり、上記空調機（20）の空調回路（60）と動力変換機（30）の変換回路（70）とは、互いに独立した回路を構成しているが、空調機（20）と動力変換機（30）とが一体の構成物に形成されている。更に、上記空調機（20）の室外熱交換器（63）と動力変換機（30）の凝縮器（74）とが一体に形成されて１つの熱交換機構（15）を構成している。
【００８８】
該熱交換機構（15）には、流体通路（33）が接続されている。上記熱交換機構（15）は、空調機（20）の作動媒体と動力変換機（30）の作動媒体と冷却流体とがそれぞれ別個に流れる。そして、上記熱交換機構（15）は、空調機（20）の作動媒体と動力変換機（30）の作動媒体と冷却流体とがそれぞれ熱交換するように構成されている。
【００８９】
したがって、冷房運転時は、空調機（20）の作動媒体と冷却流体とが熱交換して該作動媒体が凝縮すると共に、動力変換機（30）の作動媒体と冷却流体とが熱交換して該作動媒体が凝縮する。
【００９０】
また、暖房運転時は、動力変換機（30）の作動媒体が空調機（20）の作動媒体と熱交換するか、又は動力変換機（30）の作動媒体が空調機（20）の作動媒体及び冷却流体と熱交換し、該動力変換機（30）の作動媒体が凝縮し、空調機（20）の作動媒体が蒸発する。
【００９１】
また、空調機（20）が運転を停止している場合は、動力変換機（30）の作動媒体が冷却流体と熱交換して凝縮する。
【００９２】
以上のように、本実施形態によれば、空調機（20）の暖房運転時において、空調機（20）の作動媒体が熱交換機構（15）において動力変換機（30）の作動媒体の放熱を吸入することができる。この結果、暖房運転時に冷却流体が不要となり、高効率化を図ることができる。その他の構成、作用及び効果は、実施形態１と同様である。尚、上記蒸気タービン（73）と圧縮機（61）は、動力軸（12，14）及び電動機（50）を介して連結されている。
【発明を実施するための形態３】
【００９３】
次に、本発明の実施形態３を図面に基づいて詳細に説明する。
【００９４】
図５に示すように、本実施形態の空気調和装置（10）は、実施形態２が空調機（20）を可逆サイクルを行うようにしたのに代えて、空調機（20）が正サイクルのみを行うように構成したものである。
【００９５】
つまり、上記空調機（20）は、実施形態２における四路切換弁（62）が省略され、圧縮機（61）と室外熱交換器（63）と膨張弁（64）と室内熱交換器（65）とが順に接続され、冷房運転（正サイクル）のみを行うように構成されている。つまり、上記室外熱交換器（63）は凝縮器（74）であり、室内熱交換器（65）が蒸発器となる。
【００９６】
一方、上記空調機（20）の室内熱交換器（65）には、室内空気が通る空気通路（23）が接続されている。
【００９７】
上記空気通路（23）と、冷却流体が流れる流体通路（33）とは、空気切換え機構である四路切換弁（16）を介して室内と室外とに連通されている。つまり、上記流体通路（33）は、空気で構成される冷却流体が流れ、熱交換機構（15）より下流側の終端が四路切換弁（16）の１つのポートに接続されている。また、上記空気通路（23）は、室内空気が流れ、室内熱交換器（65）より下流側の終端が四路切換弁（16）の１つのポートに接続されている。
【００９８】
また、上記四路切換弁（16）の他の２つのポートは、室内と室外とに連通している。つまり、上記四路切換弁（16）は、空気通路（23）が室内に連通し且つ流体通路（33）が室外に連通している状態（冷房運転時）と、空気通路（23）が室外に連通し且つ流体通路（33）が室内に連通している状態（暖房運転時）とに切り換わるように構成されている。
【００９９】
したがって、空調機（20）の冷房運転時は、四路切換弁（16）が図５の実線側に切り換わり、実施形態２と同様に、室内熱交換器（65）で室内空気が冷却され、この冷却された室内空気が四路切換弁（16）を経て室内に供給される。一方、冷却流体（空気）は、熱交換機構（15）において、空調機（20）の凝縮熱と動力変換機（30）の凝縮熱とを吸収し、四路切換弁（16）を介して室外に放出される。
【０１００】
また、暖房運転時は、空調機（20）が運転を停止し、四路切換弁（16）が図５の破線側に切り換わる。そして、動力変換機（30）における作動流体の凝縮熱によって冷却流体が加温され、この冷却流体が室内に供給され、室内の暖房が行われる。更に、この暖房運転時においては、蒸気タービン（73）が発生する動力によって補助発電機（40）が駆動し、発電を行うことになる。
【０１０１】
以上のように、本実施形態によれば、暖房運転を行うと同時に、発電を行うことができるので、効率の向上を図ることができる。しかも、空調機（20）は、冷房専用機に構成すればよく、構成の簡素化を図ることができる。その他の構成、作用及び効果は、実施形態２と同様である。
【発明を実施するための形態４】
【０１０２】
次に、本発明の実施形態４を図面に基づいて詳細に説明する。
【０１０３】
図６に示すように、本実施形態の空気調和装置（10）は、実施形態２が空調機（20）の空調回路（60）と動力変換機（30）の変換回路（70）とを互いに独立した回路を構成したのに代えて、空調回路（60）と変換回路（70）とが互いに連通するように構成したものである。
【０１０４】
つまり、上記空調回路（60）における四路切換弁（62）の１つのポートが変換回路（70）の蒸気タービン（73）と凝縮器（74）との間に接続され、上記空調回路（60）における膨張弁（64）の一端が変換回路（70）の凝縮器（74）とポンプ（71）との間に接続されている。そして、上記動力変換機（30）の凝縮器（74）が、空調機（20）の室外熱交換器（63）を兼ねる凝縮熱交換器に構成されている。
【０１０５】
また、上記空調回路（60）と変換回路（70）との作動媒体は、同一の作動媒体が用いられている。
【０１０６】
更に、上記変換回路（70）における凝縮器（74）の入口側の配管（75）には、空調回路（60）の接続部と凝縮器（74）との間に位置して開閉弁（17）が設けられている。また、上記変換回路（70）における凝縮器（74）の出口側の配管（75）には、空調回路（60）の接続部と凝縮器（74）との間に位置して開閉弁（18）が設けられている。上記２つの開閉弁（17，18）が作動媒体切換え機構を構成している。
【０１０７】
したがって、本実施形態における空気調和装置（10）の運転動作は次の通りとなる。
【０１０８】
先ず、冷房運転時（正サイクル時）においては、２つの開閉弁（17，18）が開口している。そして、空調機（20）の空調回路（60）において、作動媒体は、圧縮機（61）より吐出し、四路切換弁（62）を経て変換回路（70）の作動媒体と合流し、凝縮器（74）で冷却流体と熱交換して凝縮する。その後、該凝縮器（74）を流出した作動媒体は、変換回路（70）と空調回路（60）とに分かれる。該空調回路（60）の作動媒体は、膨張弁（64）を経て室内熱交換器（65）で室内空気と熱交換して蒸発し、圧縮機（61）に戻る。この動作を繰り返えす。
【０１０９】
一方、動力変換機（30）の変換回路（70）において、作動媒体は、ポンプ（71）より吐出し、蒸気発生器（72）で排熱と熱交換して過熱蒸気となり、蒸気タービン（73）を回転させる。その後、変換回路（70）の作動媒体は、空調回路（60）の作動媒体と合流し、凝縮器（74）で冷却流体と熱交換して凝縮する。続いて、該凝縮器（74）を流出した作動媒体は、変換回路（70）と空調回路（60）とに分かれ、該変換回路（70）の作動流体は、ポンプ（71）に戻る。この動作を繰り返えす。
【０１１０】
また、暖房運転時（逆サイクル時）においては、２つの開閉弁（17，18）が共に閉鎖している。そして、図６に鎖線矢符で示すように、動力変換機（30）の変換回路（70）において、作動媒体は、ポンプ（71）より吐出し、蒸気発生器（72）で排熱と熱交換して過熱蒸気となり、蒸気タービン（73）を回転させる。その後、作動媒体は、空調回路（60）の四路切換弁（62）を経て圧縮機（61）に流れ、四路切換弁（62）を経て室内熱交換器（65）で室内空気と熱交換して凝縮し、膨張弁（64）を経てポンプ（71）に戻る。この動作を繰り返えす。
【０１１１】
以上のように、本実施形態によれば、装置全体の構成を簡略化することができる。その他の構成、作用及び効果は、実施形態２と同様である。
【発明を実施するための形態５】
【０１１２】
次に、本発明の実施形態５を図面に基づいて詳細に説明する。
【０１１３】
図７に示すように、本実施形態の空気調和装置（10）は、実施形態４が空調機（20）を可逆サイクルを行うようにしたのに代えて、空調機（20）が正サイクルのみを行うように構成したものである。
【０１１４】
つまり、上記空調機（20）は、実施形態２における四路切換弁（62）が省略され、圧縮機（61）と凝縮器（74）と膨張弁（64）と室内熱交換器（65）とが順に接続され、冷房運転（正サイクル）のみを行うように構成されている。つまり、上記室内熱交換器（65）が蒸発器となる。
【０１１５】
一方、上記空調機（20）の室内熱交換器（65）には、室内空気が通る空気通路（23）が接続されている。
【０１１６】
上記空気通路（23）と、冷却流体が流れる流体通路（33）とは、実施形態３と同様に、空気切換え機構である四路切換弁（16）を介して室内と室外とに連通されている。つまり、上記流体通路（33）は、空気で構成される冷却流体が流れ、凝縮器（74）より下流側の終端が四路切換弁（16）の１つのポートに接続されている。また、上記空気通路（23）は、室内空気が流れ、室内熱交換器（65）より下流側の終端が四路切換弁（16）の１つのポートに接続されている。
【０１１７】
また、上記四路切換弁（16）の他の２つのポートは、室内と室外とに連通している。つまり、上記四路切換弁（16）は、空気通路（23）が室内に連通し且つ流体通路（33）が室外に連通している状態（冷房運転時）と、空気通路（23）が室外に連通し且つ流体通路（33）が室内に連通している状態（暖房運転時）とに切り換わるように構成されている。尚、実施形態４の開閉弁（17，18）は設けられていない。
【０１１８】
したがって、空調機（20）の冷房運転時は、四路切換弁（16）が図７の実線側に切り換わり、実施形態４と同様に、空調回路（60）において、作動媒体は、圧縮機（61）より吐出し、変換回路（70）の作動媒体と合流し、凝縮器（74）で凝縮する。その後、該作動媒体は、変換回路（70）と空調回路（60）とに分かれ、該空調回路（60）の作動媒体は、膨張弁（64）を経て室内熱交換器（65）で蒸発し、圧縮機（61）に戻る。
【０１１９】
一方、動力変換機（30）の変換回路（70）において、作動媒体は、ポンプ（71）より吐出し、蒸気発生器（72）で過熱蒸気となり、蒸気タービン（73）を回転させる。その後、上記作動媒体は、空調回路（60）の作動媒体と合流し、凝縮器（74）で凝縮する。続いて、該作動媒体は、変換回路（70）と空調回路（60）とに分かれ、該変換回路（70）の作動流体は、ポンプ（71）に戻る。この動作を繰り返えす。
【０１２０】
また、暖房運転時は、空調機（20）が運転を停止し、四路切換弁（16）が図７の破線側に切り換わる。そして、動力変換機（30）における作動流体の凝縮熱によって冷却流体が加温され、この冷却流体が室内に供給され、室内の暖房が行われる。更に、この暖房運転時においては、蒸気タービン（73）が発生する動力によって補助発電機（40）が駆動し、発電を行うことになる。
【０１２１】
以上のように、本実施形態によれば、暖房運転を行うと同時に、発電を行うことができるので、効率の向上を図ることができる。しかも、空調機（20）は、冷房専用機に構成すればよく、構成の簡素化を図ることができる。その他の構成、作用及び効果は、実施形態４と同様である。
【発明を実施するための形態６】
【０１２２】
次に、本発明の実施形態６を図面に基づいて詳細に説明する。
【０１２３】
図８に示すように、本実施形態の空気調和装置（10）は、実施形態３の空調機（20）が１つの室内熱交換器（65）を備えたのに代えて、複数の室内熱交換器（65）を備えるようにしたものである。
【０１２４】
つまり、上記空調機（20）がいわゆるマルチ型に構成されたもので、排熱源（31）がビル（80）の屋上に設置されると共に、動力変換機（30）及び空調機（20）の圧縮機（61）及び室外熱交換器（63）等がビル（80）の屋上に設置されている。そして、ビル（80）の各室内（81）に室内熱交換器（65）が設置され、該室内熱交換器（65）が配管（66）によって室外熱交換器（63）等に接続されている。その他の構成、作用及び効果は、実施形態３と同様である。
【発明を実施するための形態７】
【０１２５】
次に、本発明の実施形態７を図面に基づいて詳細に説明する。
【０１２６】
図９に示すように、本実施形態の空気調和装置（10）は、実施形態１が圧縮機（61）と蒸気タービン（73）と発電機（40）と電動機（50）とを直結したのに代えて、連結機構（19）を設けたものである。
【０１２７】
つまり、上記電動機（50）と圧縮機（61）とを連結する動力軸（14）には、連結機構（19）が設けられている。また、上記圧縮機（61）と蒸気タービン（73）とを連結する動力軸（12）には、連結機構（19）が設けられている。また、上記蒸気タービン（73）と発電機（40）とを連結する動力軸（13）には、連結機構（19）が設けられている。
【０１２８】
したがって、上記蒸気タービン（73）が出力する動力は、連結機構（19）を介して圧縮機（61）及び発電機（40）に伝達され、電動機（50）が出力する動力は、連結機構（19）を介して圧縮機（61）に伝達される。この結果、運転の切換を円滑に行うことができる。その他の構成、作用及び効果は、実施形態３と同様である。
【発明を実施するための形態８】
【０１２９】
次に、本発明の実施形態８を図面に基づいて詳細に説明する。
【０１３０】
図１０に示すように、本実施形態の空気調和装置（10）は、実施形態７が発電機（40）と電動機（50）とを設けたのに代えて、電動機（50）が発電機（40）を兼ねるようにしたものである。
【０１３１】
つまり、上記電動機（50）は、圧縮機（61）に動力を出力しない状態において、蒸気タービン（73）の出力動力によって発電を行うことになる。その他の構成、作用及び効果は、実施形態７と同様である。
【発明を実施するためのその他の形態】
【０１３２】
上記実施形態１において、冷却流体は、室外空気であってもよい。つまり、動力変換機（30）の作動媒体を室外空気で冷却するようにしてもよい。この場合、室外空気を利用するので、全体構成の簡略化を図ることができると共に、冬期においても運転することができる。
【０１３３】
また、上記実施形態１において、冷却流体は、室内空気であってもよい。つまり、動力変換機（30）の作動媒体を室内空気で冷却するようにしてもよい。この場合、室内空気を利用するので、排気の冷熱を回収することができる。
【産業上の利用可能性】
【０１３４】
以上説明したように、本発明は、空気調和装置について有用である。
【符号の説明】
【０１３５】
10            空気調和装置
11            コージェネレーションシステム
20            空調機
30            動力変換機
31            排熱源
40            補助発電機
50            電動機
60            空調回路
61            圧縮機
63            室外熱交換器
64            膨張弁
65            室内熱交換器
70            変換回路
71            ポンプ（供給手段）
72            蒸気発生器
73            蒸気タービン
75            凝縮器
【図１】
2010185656.tif 000003
【図２】
2010185656.tif 000004
【図３】
2010185656.tif 000005
【図４】
2010185656.tif 000006
【図５】
2010185656.tif 000007
【図６】
2010185656.tif 000008
【図７】
2010185656.tif 000009
【図８】
2010185656.tif 000010
【図９】
2010185656.tif 000011
【図１０】
2010185656.tif 000012
【手続補正書】
【提出日】平成22年4月28日(2010.4.28)
【手続補正１】
【補正対象書類名】明細書
【補正対象項目名】全文
【補正方法】変更
【補正の内容】
【発明の詳細な説明】
【技術分野】
【０００１】
本発明は、空気調和装置に関し、特に、蒸気圧縮式冷凍サイクルに排熱を利用するようにした空気調和装置に係るものである。
【背景技術】
【０００２】
従来より、蒸気圧縮式冷凍サイクルの空調機は、圧縮機と室外熱交換器と膨張弁と室内熱交換器とを備え、冷房運転及び暖房運転を行うものが周知である。
【０００３】
一方、コージェネレーションシステムには、吸収式冷凍装置を備えたものがある。このコージェネレーションシステムは、一般に、ディーゼルエンジン、ガスエンジン又はガスタービンなどの熱機関で発電機を駆動して発電を行うと共に、熱機関の排熱を利用して吸収式冷凍装置を駆動し、冷熱を生成して冷房などを行うものである。
【０００４】
この冷房を行うコージェネレーションシステムにおいて、電力需要については一年を通じて存在するのに対し、冷房運転を行うのは夏期のみである。つまり、中間期や冬期において冷房は不要となるため、排熱によって冷凍装置を駆動しても、生成した冷熱が利用されない。このため、従来のコージェネレーションシステムでは、冷房が不要な期間には冷凍装置の運転を行わないようにしていた。
【発明の概要】
【発明が解決しようとする課題】
【０００５】
しかしながら、上述のように冷凍装置を停止させたのでは、その間において熱機関から出る排熱が充分に利用されないこととなる。例えば、オフィスビルにコージェネレーションシステムを設置した場合には、この問題が深刻となる。
【０００６】
つまり、オフィスビルにおいては給湯の需要が少ないため、とりわけ中間期においては排熱がほとんど利用されず、排熱をそのまま捨てざるを得ない状況となる。このため、従来のコージェネレーションシステムは、エネルギの有効利用が図られないという問題があった。また、上記従来のコージェネレーションシステムは、運転費用の低減による設備費の回収も難しいという問題があった。
【０００７】
特に、蒸気圧縮式冷凍サイクルの空調機においては、駆動源に熱を直接利用しないので、従来、コージェネレーションシステムに用いられていなかった。したがって、排熱の有効利用が図られないという問題があった。
【０００８】
本発明は、斯かる点に鑑みて成されたもので、蒸気圧縮式冷凍サイクルに排熱を有効に利用し、装置全体の効率の向上を図ることを目的とするものである。
【課題を解決するための手段】
【０００９】
〈発明の概要〉
本発明は、排熱を利用して蒸気圧縮式冷凍サイクルの空調機の圧縮機を駆動するようにしたものである。
【００１０】
〈解決手段〉
具体的に、第１の発明は、図６に示すように、排熱を動力に変換する動力変換機（30）と、該動力変換機（30）が出力する動力によって駆動する圧縮機（61）を備えた蒸気圧縮式冷凍サイクルの空調機（20）とを備えている。
【００１１】
上記動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備えている。
【００１２】
さらに、上記動力変換機（30）と空調機（20）とは、一体の構成体に形成される一方、上記動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成されている。
【００１３】
加えて、上記空調機（20）の空調回路（60）は、可逆サイクルを行うように構成され、上記動力変換機（30）の変換回路（70）と空調機（20）の空調回路（60）とは、空調機（20）の正サイクル時に動力変換機（30）の作動媒体と空調機（20）の作動媒体とが凝縮器（74）の入口で合流し、凝縮器（74）の出口で動力変換機（30）の作動媒体と空調機（20）の作動媒体と分流する一方、逆サイクル時に蒸気タービン（73）から流出した作動媒体が圧縮機（61）、利用側熱交換器（65）、供給手段（71）及び蒸気発生器（72）を経て蒸気タービン（73）に戻るように構成されていてる。
【００１４】
第２の発明は、図７に示すように、排熱を動力に変換する動力変換機（30）と、該動力変換機（30）が出力する動力によって駆動する圧縮機（61）を備えた蒸気圧縮式冷凍サイクルの空調機（20）とを備えている。
【００１５】
上記動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備えている。
【００１６】
さらに、上記動力変換機（30）と空調機（20）とは、一体の構成体に形成される一方、上記動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成されている。
【００１７】
加えて、上記空調機（20）の空調回路（60）は、正サイクルのみを行うように構成され、上記空調機（20）は、利用側熱交換器（65）で冷却された空気で冷房を行う一方、凝縮器（74）で動力変換機（30）の作動媒体によって加温された空気により暖房を行うように構成されている。
【００１８】
すなわち、本発明では、動力変換機（30）が排熱を動力に変換し、該動力変換機（30）が出力する動力によって空調機（20）の圧縮機（61）が駆動する。
【００１９】
上記動力変換機（30）は、例えば、蒸気発生器（72）において、排熱で過熱蒸気の作動媒体を生成する。該過熱蒸気の作動媒体を蒸気タービン（73）が受けて動力を発生する。そして、上記蒸気タービン（73）から流出した作動媒体は、凝縮器（74）で凝縮した後、供給手段（71）によって蒸気発生器（72）に戻る。
【００２０】
また、暖房運転は、動力変換機（30）の凝縮器（74）の放熱によって行われる場合がある。
【発明の効果】
【００２１】
したがって、本発明によれば、排熱によって過熱蒸気の作動媒体を生成し、該作動媒体によって発生した動力変換機（30）の動力により、空調機（20）の圧縮機（61）を駆動するようにしたために、排熱の有効利用を図ることができると同時に、ボトミング発電を行うことによって高効率化を図ることができる。
【００２２】
つまり、本発明によれば、排熱を有効利用することができる。この結果、ガスタービン等に投入される燃焼エネルギを有効に活用でき、コージェネレーションシステムにおけるシステム全体の効率の向上を図ることができる。
【００２３】
特に、蒸気圧縮式冷凍サイクルの空調機（20）を排熱によって駆動することができるので、該空調機（20）の効率を向上させることができる。
【００２４】
また、上記空調機（20）と動力変換機（30）の作動媒体を同一の作動媒体にすると、装置全体の簡略化を図ることができる。
【００２５】
また、上記動力変換機（30）の作動媒体によって空気を加温して暖房するようにすると、暖房運転を行うと同時に、発電を行うことができるので、効率の向上を図ることができる。しかも、空調機（20）は、冷房専用機に構成すればよく、構成の簡素化を図ることができる。
【００２６】
また、上記動力変換機（30）の凝縮器（74）が空調機（20）の熱源側熱交換器を兼ねるようにすると、装置全体の構成を簡略化することができる。
【００２７】
また、上記電動機（50）と連結機構（19）と圧縮機（61）と連結機構（19）と蒸気タービン（73）と連結機構（19）と発電機（40）とを順に連結するようにすると、運転の切換を円滑に行うことができる。
【図面の簡単な説明】
【００２８】
【図１】前提技術１を示す空調機の回路図である。
【図２】前提技術１を示す動力変換機の回路図である。
【図３】前提技術１を示す空気調和装置の概略のブロック図である。
【図４】前提技術２を示す空気調和装置の回路図である。
【図５】前提技術３を示す空気調和装置の回路図である。
【図６】本発明の実施形態１を示す空気調和装置の回路図である。
【図７】本発明の実施形態２を示す空気調和装置の回路図である。
【図８】参考例１を示す空気調和装置の回路図である。
【図９】参考例１を示す空気調和装置の回路図である。
【図１０】参考例１を示す空気調和装置の回路図である。
【発明を実施するための形態】
【００２９】
以下、本発明の実施形態を図面に基づいて詳細に説明する。
【００３０】
そこで、本発明の実施形態の前提となる前提技術を説明した後、本発明の実施形態を説明する。
【００３１】
−前提技術１−
図１〜図３に示すように、空気調和装置（10）は、コージェネレーションシステム（11）を構成している。そして、該コージェネレーションシステム（11）は、オフィスビルに設置されている。
【００３２】
上記空気調和装置（10）は、空調機（20）と動力変換機（30）とを備えると共に、発電機（40）である補助発電機（40）と電動機（50）とを備えている。そして、上記空調機（20）と動力変換機（30）は、互いに別個独立した構成体に形成されている。
【００３３】
上記空調機（20）は、蒸気圧縮機（61）式冷凍サイクルを構成する空調回路（60）を備えている。該空調回路（60）は、圧縮機（61）と四路切換弁（62）と熱源側熱交換器である室外熱交換器（63）と膨張機構である膨張弁（64）と利用側熱交換器である室内熱交換器（65）とが順に配管（66）によって接続されて構成されている。そして、上記空調回路（60）は、作動媒体が充填されて該作動媒体が循環するように構成されている。
【００３４】
また、上記室外熱交換器（63）は、室外空気（21）と作動媒体と熱交換するように構成され、上記室内熱交換器（65）は、室内空気（22）と作動媒体とが熱交換するように構成されている。そして、上記空調回路（60）は、可逆サイクルを行うように構成されている。つまり、該空調回路（60）は、正サイクルの冷房運転と逆サイクルの暖房運転とを行うように構成されている。
【００３５】
尚、上記圧縮機（61）は、ピストン式やロータリ式の圧縮機構を備えているが、電気モータなどの駆動源は備えていない。また、上記作動媒体には、Ｒ２２、Ｒ４０７Ｃ、Ｒ４１０Ａなどの人工冷媒若しくはＣＯ2などの自然冷媒又はこれらの混合冷媒が適用されている。
【００３６】
上記動力変換機（30）は、閉回路の変換回路（70）を備えている。該動力変換機（30）の変換回路（70）と上記空調機（20）の空調回路（60）とは、互いに独立した回路に構成されている。上記動力変換機（30）の変換回路（70）は、図２に示すように、ポンプ（71）と蒸気発生器（72）と蒸気タービン（73）と凝縮器（74）とが順に配管（75）によって接続されて構成されている。そして、上記変換回路（70）は、作動媒体が充填されて該作動媒体が循環するように構成されている。
【００３７】
上記動力変換機（30）における変換回路（70）の作動媒体には、例えば、水が用いられている。しかし、上記作動媒体には、Ｒ２２、Ｒ４０７Ｃ、Ｒ４１０Ａなどの人工冷媒若しくはＣＯ2などの自然冷媒又はこれらの混合冷媒を適用してもよい。更に、上記動力変換機（30）の作動媒体は、空調機（20）の作動媒体と同一の作動媒体を用いてもよく、また、空調機（20）の作動媒体と異なる作動媒体を用いてもよい。
【００３８】
上記ポンプ（71）は、作動媒体を循環させる供給手段を構成し、該作動媒体を蒸気発生器（72）に供給している。
【００３９】
上記蒸気発生器（72）には、排熱が排熱源（31）から熱通路（32）を介して供給されている。該蒸気発生器（72）は、排熱によって作動媒体を加熱し、過熱蒸気の作動媒体を生成するように構成されている。上記排熱源（31）は、例えば、ガスタービンで構成され、該ガスタービンの排熱が蒸気発生器（72）に供給されている。尚、上記ガスタービンは、例えば、主発電機を駆動するものである。該主発電機が発生した電力は、オフィスビルの電力需要の全部又は一部を賄っている。
【００４０】
上記蒸気タービン（73）は、熱を動力に変換する変換機構を構成している。該蒸気タービン（73）は、上記蒸気発生器（72）の過熱蒸気（水蒸気）の作動媒体を受けて該作動媒体を膨張させ、この作動媒体の膨張によって回転して動力を発生するように構成されている。そして、上記蒸気タービン（73）は、空調機（20）の圧縮機（61）に動力軸（12）を介して連結され、該圧縮機（61）を駆動するように構成されている。
【００４１】
上記凝縮器（74）は、冷却流体が流体通路（33）を介して供給され、該冷却流体と作動媒体（水蒸気）とを熱交換させるように構成されている。そして、上記凝縮器（74）は、水蒸気である作動媒体を凝縮させるように構成されている。上記冷却流体は、図示しないが、例えば、クーリングタワーなどの冷却器で冷却された冷却水で構成されている。上記凝縮器（74）において凝縮した作動媒体（水）は、ポンプ（71）に吸引され、該ポンプ（71）から上記蒸気発生器（72）に供給される。
【００４２】
要するに、上記空気調和装置（10）は、図３に示すように、動力変換機（30）が排熱源（31）から排熱を受けて動力を出力し、該動力変換機（30）の動力が空調機（20）の圧縮機（61）に供給されるように構成され、いわゆる排熱駆動式に構成されている。
【００４３】
上記補助発電機（40）は、蒸気タービン（73）に動力軸（13）を介して連結されている。該補助発電機（40）は、空調機（20）が空調運転を停止している場合、蒸気タービン（73）の動力によって駆動し、発電するように構成されている。更に、上記補助発電機（40）は、空調負荷が小さい場合、圧縮機（61）の駆動動力が小さいので、蒸気タービン（73）の動力の一部を受けて発電するように構成されている。尚、上記補助発電機（40）の発生電力は、単にオフィスビルの需要電力の一部を補うものであって、主電力を担うものではない。
【００４４】
上記電動機（50）は、圧縮機（61）に動力軸（14）を介して連結されている。該電動機（50）は、排熱が少ない場合、蒸気タービン（73）の動力では圧縮機（61）の容量が不足する場合、蒸気タービン（73）の動力と共働して圧縮機（61）を駆動するように構成されている。
【００４５】
〈作用〉
次に、上述したコージェネレーションシステム（11）における空気調和装置（10）の運転動作について説明する。
【００４６】
上記空気調和装置（10）は、燃焼排ガスが有する熱エネルギによって駆動され、冷熱及び温熱を生成する。すなわち、排熱源（31）であるガスタービンが燃焼ガスによって駆動し、この燃焼ガスの燃焼排ガスが動力変換機（30）に供給される。一方、上記ガスタービンが発生する動力は、主発電機に伝達される。該主発電機が発生した電力は、オフィスビルに供給される。
【００４７】
そこで、上記空気調和装置（10）における動力変換機（30）の動作について図２に基づき説明する。
【００４８】
先ず、ポンプ（71）を駆動すると、作動媒体である水が蒸気発生器（72）に供給される。この蒸気発生器（72）には、排熱が排熱源（31）から熱通路（32）を介して供給されているので、該蒸気発生器（72）において、排熱と作動媒体とが熱交換し、過熱蒸気の作動媒体が生成される。
【００４９】
この過熱蒸気の作動媒体は、蒸気タービン（73）に供給される。該蒸気タービン（73）において、過熱蒸気（水蒸気）の作動媒体が膨張し、この作動媒体の膨張によって蒸気タービン（73）が回転して動力を発生する。
【００５０】
上記蒸気タービン（73）から流出した作動媒体は、凝縮器（74）に流れる。この凝縮器（74）には、冷却流体が供給されているので、該凝縮器（74）において、冷却流体と作動媒体とが熱交換し、作動媒体が凝縮する。この凝縮した作動媒体は、ポンプ（71）に吸引され、上述の動作が繰り返される。
【００５１】
次に、空調時において、上記蒸気タービン（73）で発生した動力は、動力軸（12）を介して空調機（20）の圧縮機（61）に伝達され、該圧縮機（61）が駆動する。該圧縮機（61）が駆動すると、空調機（20）の作動媒体が圧縮されて該圧縮機（61）より吐出する。
【００５２】
そこで、冷房運転（正サイクル）の動作について説明する。上記四路切換弁（62）は、図１の実線側に切り換わっているので、図１の矢印に示すように、上記圧縮機（61）より吐出した作動媒体は、室外熱交換器（63）に流れる。該作動媒体は、室外熱交換器（63）で室外空気（21）と熱交換して凝縮し、膨張弁（64）で膨張した後、室内熱交換器（65）に流れる。更に、上記作動媒体は、室内熱交換器（65）で室内空気（22）と熱交換して蒸発し、室内空気（22）を冷却して圧縮機（61）に戻る。この循環動作を繰り返し、室内を冷房する。
【００５３】
一方、暖房運転（逆サイクル）の動作について説明すると、四路切換弁（62）が図１の破線側に切り換わる。そして、図１に鎖線矢符で示すように、上記圧縮機（61）より吐出した作動媒体は、室内熱交換器（65）に流れる。該作動媒体は、室内熱交換器（65）で室内空気（22）と熱交換して凝縮し、室内空気（22）を加温する。その後、上記作動媒体は、膨張弁（64）で膨張した後、室外熱交換器（63）に流れ、室外空気（21）と熱交換して蒸発し、圧縮機（61）に戻る。この循環動作を繰り返し、室内を暖房する。
【００５４】
また、上記空調機（20）が運転を停止している場合、つまり、例えば、中間期の空調負荷がない場合、上記蒸気タービン（73）で発生した動力は、動力軸（12）を介して補助発電機（40）に伝達される。そして、該補助発電機（40）が駆動し、発電する。この補助発電機（40）の発生電力は、単にオフィスビルの需要電力の一部を補う。
【００５５】
また、上記空調負荷が少ない場合、空調機（20）における圧縮機（61）の駆動動力が小さいので、蒸気タービン（73）の動力の一部が圧縮機（61）に伝達され、他の動力が補助発電機（40）に分配される。そして、該補助発電機（40）が蒸気タービン（73）の動力の一部で発電を行う。
【００５６】
また、上記排熱が少ない場合、蒸気タービン（73）の動力では圧縮機（61）の容量が不足するときは、電動機（50）を駆動する。該電動機（50）の動力は、圧縮機（61）に伝達され、蒸気タービン（73）の動力と共働して圧縮機（61）を駆動する。
【００５７】
〈前提技術１の効果〉
以上のように、本前提技術によれば、排熱によって過熱蒸気の作動媒体を生成し、該作動媒体によって発生した動力変換機（30）の動力により、空調機（20）の圧縮機（61）を駆動するようにしたために、上記排熱の有効利用を図ることができると同時に、ボトミング発電を行うことによって高効率化を図ることができる。
【００５８】
つまり、本前提技術によれば、ガスタービン等の排熱源（31）の排熱を有効利用することができる。この結果、ガスタービン等に投入される燃焼エネルギを有効に活用でき、コージェネレーションシステム（11）におけるシステム全体の効率の向上を図ることができる。
【００５９】
特に、蒸気圧縮式冷凍サイクルの空調機（20）を排熱によって駆動することができるので、該空調機（20）の効率を向上させることができる。
【００６０】
また、上記蒸気タービン（73）の動力を空調機（20）と補助発電機（40）とに分配するので、運転効率をより向上させることができる。
【００６１】
また、上記電動機（50）を設けているので、排熱が少ない場合においても空調機（20）を確実に駆動させることができ、信頼性の向上を図ることができる。
【００６２】
また、上記空調機（20）と動力変換機（30）の作動媒体を同一の作動媒体にすると、装置全体の簡略化を図ることができる。
【００６３】
また、上記空調機（20）と動力変換機（30）の作動媒体を異なる作動媒体にすると、適用の自由度が大きくなり、装置の適用範囲を拡大することができる。
【００６４】
また、冷却流体をクーリングタワー等の冷却器で冷却すると、動力変換機（30）の動力変換効率の向上を図ることができる。
【００６５】
また、上記空調機（20）と動力変換機（30）を別個の構成体にすると、該空調機（20）及び動力変換機（30）の単純化を図ることができる。つまり、上記空調機（20）及び動力変換機（30）を専用品にする必要がなく、汎用化を図ることができる。
【００６６】
−前提技術２−
次に、本発明の前提技術２を図面に基づいて詳細に説明する。
【００６７】
図４に示すように、本空気調和装置（10）は、前提技術１が空調機（20）と動力変換機（30）とを別個の構成物としたのに代えて、空調機（20）と動力変換機（30）を一体に構成に構成したものである。
【００６８】
つまり、上記空調機（20）の空調回路（60）と動力変換機（30）の変換回路（70）とは、互いに独立した回路を構成しているが、空調機（20）と動力変換機（30）とが一体の構成物に形成されている。更に、上記空調機（20）の室外熱交換器（63）と動力変換機（30）の凝縮器（74）とが一体に形成されて１つの熱交換機構（15）を構成している。
【００６９】
該熱交換機構（15）には、流体通路（33）が接続されている。上記熱交換機構（15）は、空調機（20）の作動媒体と動力変換機（30）の作動媒体と冷却流体とがそれぞれ別個に流れる。そして、上記熱交換機構（15）は、空調機（20）の作動媒体と動力変換機（30）の作動媒体と冷却流体とがそれぞれ熱交換するように構成されている。
【００７０】
したがって、冷房運転時は、空調機（20）の作動媒体と冷却流体とが熱交換して該作動媒体が凝縮すると共に、動力変換機（30）の作動媒体と冷却流体とが熱交換して該作動媒体が凝縮する。
【００７１】
また、暖房運転時は、動力変換機（30）の作動媒体が空調機（20）の作動媒体と熱交換するか、又は動力変換機（30）の作動媒体が空調機（20）の作動媒体及び冷却流体と熱交換し、該動力変換機（30）の作動媒体が凝縮し、空調機（20）の作動媒体が蒸発する。
【００７２】
また、空調機（20）が運転を停止している場合は、動力変換機（30）の作動媒体が冷却流体と熱交換して凝縮する。
【００７３】
以上のように、本前提技術によれば、空調機（20）の暖房運転時において、空調機（20）の作動媒体が熱交換機構（15）において動力変換機（30）の作動媒体の放熱を吸入することができる。この結果、暖房運転時に冷却流体が不要となり、高効率化を図ることができる。その他の構成、作用及び効果は、前提技術１と同様である。尚、上記蒸気タービン（73）と圧縮機（61）は、動力軸（12，14）及び電動機（50）を介して連結されている。
【００７４】
−前提技術３−
次に、本発明の前提技術３を図面に基づいて詳細に説明する。
【００７５】
図５に示すように、本空気調和装置（10）は、前提技術２が空調機（20）を可逆サイクルを行うようにしたのに代えて、空調機（20）が正サイクルのみを行うように構成したものである。
【００７６】
つまり、上記空調機（20）は、前提技術２における四路切換弁（62）が省略され、圧縮機（61）と室外熱交換器（63）と膨張弁（64）と室内熱交換器（65）とが順に接続され、冷房運転（正サイクル）のみを行うように構成されている。つまり、上記室外熱交換器（63）は凝縮器（74）であり、室内熱交換器（65）が蒸発器となる。
【００７７】
一方、上記空調機（20）の室内熱交換器（65）には、室内空気が通る空気通路（23）が接続されている。
【００７８】
上記空気通路（23）と、冷却流体が流れる流体通路（33）とは、空気切換え機構である四路切換弁（16）を介して室内と室外とに連通されている。つまり、上記流体通路（33）は、空気で構成される冷却流体が流れ、熱交換機構（15）より下流側の終端が四路切換弁（16）の１つのポートに接続されている。また、上記空気通路（23）は、室内空気が流れ、室内熱交換器（65）より下流側の終端が四路切換弁（16）の１つのポートに接続されている。
【００７９】
また、上記四路切換弁（16）の他の２つのポートは、室内と室外とに連通している。つまり、上記四路切換弁（16）は、空気通路（23）が室内に連通し且つ流体通路（33）が室外に連通している状態（冷房運転時）と、空気通路（23）が室外に連通し且つ流体通路（33）が室内に連通している状態（暖房運転時）とに切り換わるように構成されている。
【００８０】
したがって、空調機（20）の冷房運転時は、四路切換弁（16）が図５の実線側に切り換わり、前提技術２と同様に、室内熱交換器（65）で室内空気が冷却され、この冷却された室内空気が四路切換弁（16）を経て室内に供給される。一方、冷却流体（空気）は、熱交換機構（15）において、空調機（20）の凝縮熱と動力変換機（30）の凝縮熱とを吸収し、四路切換弁（16）を介して室外に放出される。
【００８１】
また、暖房運転時は、空調機（20）が運転を停止し、四路切換弁（16）が図５の破線側に切り換わる。そして、動力変換機（30）における作動流体の凝縮熱によって冷却流体が加温され、この冷却流体が室内に供給され、室内の暖房が行われる。更に、この暖房運転時においては、蒸気タービン（73）が発生する動力によって補助発電機（40）が駆動し、発電を行うことになる。
【００８２】
以上のように、本前提技術によれば、暖房運転を行うと同時に、発電を行うことができるので、効率の向上を図ることができる。しかも、空調機（20）は、冷房専用機に構成すればよく、構成の簡素化を図ることができる。その他の構成、作用及び効果は、前提技術２と同様である。
【００８３】
−実施形態１−
次に、本発明の実施形態１を図面に基づいて詳細に説明する。
【００８４】
図６に示すように、本実施形態の空気調和装置（10）は、前提技術２が空調機（20）の空調回路（60）と動力変換機（30）の変換回路（70）とを互いに独立した回路を構成したのに代えて、空調回路（60）と変換回路（70）とが互いに連通するように構成したものである。
【００８５】
つまり、上記空調回路（60）における四路切換弁（62）の１つのポートが変換回路（70）の蒸気タービン（73）と凝縮器（74）との間に接続され、上記空調回路（60）における膨張弁（64）の一端が変換回路（70）の凝縮器（74）とポンプ（71）との間に接続されている。そして、上記動力変換機（30）の凝縮器（74）が、空調機（20）の室外熱交換器（63）を兼ねる凝縮熱交換器に構成されている。
【００８６】
また、上記空調回路（60）と変換回路（70）との作動媒体は、同一の作動媒体が用いられている。
【００８７】
更に、上記変換回路（70）における凝縮器（74）の入口側の配管（75）には、空調回路（60）の接続部と凝縮器（74）との間に位置して開閉弁（17）が設けられている。また、上記変換回路（70）における凝縮器（74）の出口側の配管（75）には、空調回路（60）の接続部と凝縮器（74）との間に位置して開閉弁（18）が設けられている。上記２つの開閉弁（17，18）が作動媒体切換え機構を構成している。
【００８８】
したがって、本実施形態における空気調和装置（10）の運転動作は次の通りとなる。
【００８９】
先ず、冷房運転時（正サイクル時）においては、２つの開閉弁（17，18）が開口している。そして、空調機（20）の空調回路（60）において、作動媒体は、圧縮機（61）より吐出し、四路切換弁（62）を経て変換回路（70）の作動媒体と合流し、凝縮器（74）で冷却流体と熱交換して凝縮する。その後、該凝縮器（74）を流出した作動媒体は、変換回路（70）と空調回路（60）とに分かれる。該空調回路（60）の作動媒体は、膨張弁（64）を経て室内熱交換器（65）で室内空気と熱交換して蒸発し、圧縮機（61）に戻る。この動作を繰り返えす。
【００９０】
一方、動力変換機（30）の変換回路（70）において、作動媒体は、ポンプ（71）より吐出し、蒸気発生器（72）で排熱と熱交換して過熱蒸気となり、蒸気タービン（73）を回転させる。その後、変換回路（70）の作動媒体は、空調回路（60）の作動媒体と合流し、凝縮器（74）で冷却流体と熱交換して凝縮する。続いて、該凝縮器（74）を流出した作動媒体は、変換回路（70）と空調回路（60）とに分かれ、該変換回路（70）の作動流体は、ポンプ（71）に戻る。この動作を繰り返えす。
【００９１】
また、暖房運転時（逆サイクル時）においては、２つの開閉弁（17，18）が共に閉鎖している。そして、図６に鎖線矢符で示すように、動力変換機（30）の変換回路（70）において、作動媒体は、ポンプ（71）より吐出し、蒸気発生器（72）で排熱と熱交換して過熱蒸気となり、蒸気タービン（73）を回転させる。その後、作動媒体は、空調回路（60）の四路切換弁（62）を経て圧縮機（61）に流れ、四路切換弁（62）を経て室内熱交換器（65）で室内空気と熱交換して凝縮し、膨張弁（64）を経てポンプ（71）に戻る。この動作を繰り返えす。
【００９２】
以上のように、本実施形態によれば、装置全体の構成を簡略化することができる。その他の構成、作用及び効果は、前提技術２と同様である。
【００９３】
−実施形態２−
次に、本発明の実施形態２を図面に基づいて詳細に説明する。
【００９４】
図７に示すように、本実施形態の空気調和装置（10）は、実施形態１が空調機（20）を可逆サイクルを行うようにしたのに代えて、空調機（20）が正サイクルのみを行うように構成したものである。
【００９５】
つまり、上記空調機（20）は、前提技術２における四路切換弁（62）が省略され、圧縮機（61）と凝縮器（74）と膨張弁（64）と室内熱交換器（65）とが順に接続され、冷房運転（正サイクル）のみを行うように構成されている。つまり、上記室内熱交換器（65）が蒸発器となる。
【００９６】
一方、上記空調機（20）の室内熱交換器（65）には、室内空気が通る空気通路（23）が接続されている。
【００９７】
上記空気通路（23）と、冷却流体が流れる流体通路（33）とは、前提技術３と同様に、空気切換え機構である四路切換弁（16）を介して室内と室外とに連通されている。つまり、上記流体通路（33）は、空気で構成される冷却流体が流れ、凝縮器（74）より下流側の終端が四路切換弁（16）の１つのポートに接続されている。また、上記空気通路（23）は、室内空気が流れ、室内熱交換器（65）より下流側の終端が四路切換弁（16）の１つのポートに接続されている。
【００９８】
また、上記四路切換弁（16）の他の２つのポートは、室内と室外とに連通している。つまり、上記四路切換弁（16）は、空気通路（23）が室内に連通し且つ流体通路（33）が室外に連通している状態（冷房運転時）と、空気通路（23）が室外に連通し且つ流体通路（33）が室内に連通している状態（暖房運転時）とに切り換わるように構成されている。尚、実施形態１の開閉弁（17，18）は設けられていない。
【００９９】
したがって、空調機（20）の冷房運転時は、四路切換弁（16）が図７の実線側に切り換わり、実施形態１と同様に、空調回路（60）において、作動媒体は、圧縮機（61）より吐出し、変換回路（70）の作動媒体と合流し、凝縮器（74）で凝縮する。その後、該作動媒体は、変換回路（70）と空調回路（60）とに分かれ、該空調回路（60）の作動媒体は、膨張弁（64）を経て室内熱交換器（65）で蒸発し、圧縮機（61）に戻る。
【０１００】
一方、動力変換機（30）の変換回路（70）において、作動媒体は、ポンプ（71）より吐出し、蒸気発生器（72）で過熱蒸気となり、蒸気タービン（73）を回転させる。その後、上記作動媒体は、空調回路（60）の作動媒体と合流し、凝縮器（74）で凝縮する。続いて、該作動媒体は、変換回路（70）と空調回路（60）とに分かれ、該変換回路（70）の作動流体は、ポンプ（71）に戻る。この動作を繰り返えす。
【０１０１】
また、暖房運転時は、空調機（20）が運転を停止し、四路切換弁（16）が図７の破線側に切り換わる。そして、動力変換機（30）における作動流体の凝縮熱によって冷却流体が加温され、この冷却流体が室内に供給され、室内の暖房が行われる。更に、この暖房運転時においては、蒸気タービン（73）が発生する動力によって補助発電機（40）が駆動し、発電を行うことになる。
【０１０２】
以上のように、本実施形態によれば、暖房運転を行うと同時に、発電を行うことができるので、効率の向上を図ることができる。しかも、空調機（20）は、冷房専用機に構成すればよく、構成の簡素化を図ることができる。その他の構成、作用及び効果は、実施形態１と同様である。
【０１０３】
−参考例１−
次に、参考例１を図面に基づいて詳細に説明する。
【０１０４】
図８に示すように、本空気調和装置（10）は、前提技術３の空調機（20）が１つの室内熱交換器（65）を備えたのに代えて、複数の室内熱交換器（65）を備えるようにしたものである。
【０１０５】
つまり、上記空調機（20）がいわゆるマルチ型に構成されたもので、排熱源（31）がビル（80）の屋上に設置されると共に、動力変換機（30）及び空調機（20）の圧縮機（61）及び室外熱交換器（63）等がビル（80）の屋上に設置されている。そして、ビル（80）の各室内（81）に室内熱交換器（65）が設置され、該室内熱交換器（65）が配管（66）によって室外熱交換器（63）等に接続されている。その他の構成、作用及び効果は、前提技術３と同様である。
【０１０６】
−参考例２−
次に、参考例２を図面に基づいて詳細に説明する。
【０１０７】
図９に示すように、本空気調和装置（10）は、前提技術１が圧縮機（61）と蒸気タービン（73）と発電機（40）と電動機（50）とを直結したのに代えて、連結機構（19）を設けたものである。
【０１０８】
つまり、上記電動機（50）と圧縮機（61）とを連結する動力軸（14）には、連結機構（19）が設けられている。また、上記圧縮機（61）と蒸気タービン（73）とを連結する動力軸（12）には、連結機構（19）が設けられている。また、上記蒸気タービン（73）と発電機（40）とを連結する動力軸（13）には、連結機構（19）が設けられている。
【０１０９】
したがって、上記蒸気タービン（73）が出力する動力は、連結機構（19）を介して圧縮機（61）及び発電機（40）に伝達され、電動機（50）が出力する動力は、連結機構（19）を介して圧縮機（61）に伝達される。この結果、運転の切換を円滑に行うことができる。その他の構成、作用及び効果は、前提技術３と同様である。
【０１１０】
−参考例３−
次に、参考例３を図面に基づいて詳細に説明する。
【０１１１】
図１０に示すように、本空気調和装置（10）は、参考例２が発電機（40）と電動機（50）とを設けたのに代えて、電動機（50）が発電機（40）を兼ねるようにしたものである。
【０１１２】
つまり、上記電動機（50）は、圧縮機（61）に動力を出力しない状態において、蒸気タービン（73）の出力動力によって発電を行うことになる。その他の構成、作用及び効果は、参考例２と同様である。
【０１１３】
−他の参考例−
上記前提技術１において、冷却流体は、室外空気であってもよい。つまり、動力変換機（30）の作動媒体を室外空気で冷却するようにしてもよい。この場合、室外空気を利用するので、全体構成の簡略化を図ることができると共に、冬期においても運転することができる。
【０１１４】
また、上記前提技術１において、冷却流体は、室内空気であってもよい。つまり、動力変換機（30）の作動媒体を室内空気で冷却するようにしてもよい。この場合、室内空気を利用するので、排気の冷熱を回収することができる。
【産業上の利用可能性】
【０１１５】
以上説明したように、本発明は、空気調和装置について有用である。
【符号の説明】
【０１１６】
10            空気調和装置
11            コージェネレーションシステム
20            空調機
30            動力変換機
31            排熱源
40            補助発電機
50            電動機
60            空調回路
61            圧縮機
63            室外熱交換器
64            膨張弁
65            室内熱交換器
70            変換回路
71            ポンプ（供給手段）
72            蒸気発生器
73            蒸気タービン
75            凝縮器
【手続補正２】
【補正対象書類名】特許請求の範囲
【補正対象項目名】全文
【補正方法】変更
【補正の内容】
【特許請求の範囲】
【請求項１】
排熱を動力に変換する動力変換機（30）と、
該動力変換機（30）が出力する動力によって駆動する圧縮機（61）を備えた蒸気圧縮式冷凍サイクルの空調機（20）とを備え、
上記動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備え、
上記動力変換機（30）と空調機（20）とは、一体の構成体に形成される一方、
上記動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成され、
上記空調機（20）の空調回路（60）は、可逆サイクルを行うように構成され、
上記動力変換機（30）の変換回路（70）と空調機（20）の空調回路（60）とは、空調機（20）の正サイクル時に動力変換機（30）の作動媒体と空調機（20）の作動媒体とが凝縮器（74）の入口で合流し、凝縮器（74）の出口で動力変換機（30）の作動媒体と空調機（20）の作動媒体と分流する一方、逆サイクル時に蒸気タービン（73）から流出した作動媒体が圧縮機（61）、利用側熱交換器（65）、供給手段（71）及び蒸気発生器（72）を経て蒸気タービン（73）に戻るように構成されている
ことを特徴とする空気調和装置。
【請求項２】
排熱を動力に変換する動力変換機（30）と、
該動力変換機（30）が出力する動力によって駆動する圧縮機（61）を備えた蒸気圧縮式冷凍サイクルの空調機（20）とを備え、
上記動力変換機（30）は、排熱で過熱蒸気の作動媒体を生成する蒸気発生器（72）と、該蒸気発生器（72）で発生した過熱蒸気の作動媒体を受けて動力を発生する蒸気タービン（73）と、蒸気タービン（73）から流出した作動媒体を凝縮させる凝縮器（74）と、該凝縮器（74）で凝縮した作動媒体を蒸気発生器（72）に供給する供給手段（71）とが接続されて成る変換回路（70）を備え、
上記動力変換機（30）と空調機（20）とは、一体の構成体に形成される一方、
上記動力変換機（30）の作動媒体と空調機（20）の熱作動媒体とが同一の作動媒体で構成され、動力変換機（30）の変換回路（70）と空調機（20）の空調回路（60）とが互いに連通するように接続されると共に、動力変換機（30）の凝縮器（74）が空調機（20）の熱源側熱交換器を兼ねる凝縮熱交換器に構成され、
上記空調機（20）の空調回路（60）は、正サイクルのみを行うように構成され、
上記空調機（20）は、利用側熱交換器（65）で冷却された空気で冷房を行う一方、凝縮器（74）で動力変換機（30）の作動媒体によって加温された空気により暖房を行うように構成されている
ことを特徴とする空気調和装置。